(57)【要約】  【課題】  装置を大型化することなく泡の吸引能力を向上して液体タンクの液面上に発生する泡の消泡面積を大きくし得る消泡装置を提供するものである。  【解決手段】  ケーシング６の羽根車７に面した正面側で羽根車７の中心部に向けて開口する入口１４と、入口１４より垂直方向の下方に位置して液体タンク１の液面上に生じる泡Ｃを吸引する吸引口１９とを有する。吸引口１９は開口面積を大きく形成し、入口１４は開口面積を小さく形成し、開口面積を相違して形成した。羽根車７の遠心作用により泡Ｃを吸引する際に、吸引口１９により泡の消泡面積を大きくすることができると共に、入口１４により泡を吸引する風量を増加できる。【選択図】    図１
2018149483.tif 000002
【特許請求の範囲】
【請求項１】
中心から径方向に延びる複数の羽根片を有する羽根車と、羽根車を内部に収容したケーシングと、ケーシングの羽根車に面した正面側で羽根車の中心部に向けて開口する入口と、入口より垂直方向の下方に位置して液体タンクの液面上に生じる泡を吸引する吸引口と、吸引口より入口を介してケーシング内に通じる吸引流路と、羽根車の遠心作用による遠心力を受けて入口より羽根車の外周側へ移行された泡が破壊されるよう衝突する羽根車外周に有したケーシングの内壁部分と、ケーシングの内壁部分への衝突で泡消滅による液体を空気とともに液体タンク内へ排出する排出口と、ケーシングの背後から羽根車を回転駆動する電動機を備え、入口と吸引口とは開口面積を相違して形成し、吸引口は開口面積を大きく形成し、入口は開口面積を小さく形成したことを特徴とする消泡装置。
【請求項２】
前記入口と前記吸引口とは異径の略円形で同心に配置し、前記吸引口は大径に形成し、前記入口は小径に形成したことを特徴とする請求項１に記載の消泡装置。
【請求項３】
前記ケーシングには前記羽根車の正面側で前記複数の羽根片と対向して板状部材を配置し、板状部材には前記入口と同心に略円形の第２入口を形成し、第２入口は口径を前記入口の口径以下としたことを特徴とする請求項２に記載の消泡装置。
【請求項４】
前記ケーシングに配置した前記板状部材に替えて、前記羽根車にはその正面側に前記複数の羽根片を覆って板状部材を取付け、板状部材には前記第２入口を形成したことを特徴とする請求項３に記載の消泡装置。
【請求項５】
前記第２入口は前記入口と口径を略同径にしたことを特徴とする請求項３または４に記載の消泡装置。
【請求項６】
前記吸引流路は、前記吸引口と前記入口との間を前記吸引口から前記入口に向けて漸次縮径する形状の流路部材で接続したことを特徴とする請求項１から５のいずれか一つに記載の消泡装置。
【発明の詳細な説明】
【技術分野】
【０００１】
本発明は、泡を吸引することにより泡を破壊し消滅させる消泡装置に関し、特に、液体タンクに貯蔵する液の液面上に生じる泡を良好に消すことができる消泡装置に関する。
【背景技術】
【０００２】
従来の消泡装置は、液体タンクの液面上に発生する泡は、羽根車の回転で吸引口より吸引され、この泡は、羽根車の外周側に遠心作用で移行され、羽根車外周側のケーシングの内壁部分に衝突して破壊されて消滅する。そして、泡消滅によって生じる液体は、空気とともに排出口から排出されて液体タンク内へ戻される（たとえば、特許文献１参照）。
【先行技術文献】
【特許文献】
【０００３】
【特許文献１】特開２００２−２１９３０６号公報（段落番号００１７〜００１９、図３、図４）
【発明の概要】
【発明が解決しようとする課題】
【０００４】
ところが、かかる従来の消泡装置では、泡の吸引能力がいまだ満足できるものではなく、液体タンクの液面上に発生する泡の消泡面積が小さく、十分な泡の吸引能力を得るためには、大型の羽根車とこの大型の羽根車を回転する大型の電動機を用いた装置が必要になり、装置が大型化する問題点があった。
【０００５】
本発明の課題は、装置を大型化することなく泡の吸引能力を向上して液体タンクの液面上に発生する泡の消泡面積を大きくし得る消泡装置を提供するものである。
【課題を解決するための手段】
【０００６】
かかる課題を達成すべく、本発明は次の手段をとった。即ち、
中心から径方向に延びる複数の羽根片を有する羽根車と、羽根車を内部に収容したケーシングと、ケーシングの羽根車に面した正面側で羽根車の中心部に向けて開口する入口と、入口より垂直方向の下方に位置して液体タンクの液面上に生じる泡を吸引する吸引口と、吸引口より入口を介してケーシング内に通じる吸引流路と、羽根車の遠心作用による遠心力を受けて入口より羽根車の外周側へ移行された泡が破壊されるよう衝突する羽根車外周に有したケーシングの内壁部分と、ケーシングの内壁部分への衝突で泡消滅による液体を空気とともに液体タンク内へ排出する排出口と、ケーシングの背後から羽根車を回転駆動する電動機を備え、入口と吸引口とは開口面積を相違して形成し、吸引口は開口面積を大きく形成し、入口は開口面積を小さく形成したことを特徴とする消泡装置がそれである。
【０００７】
この場合、前記入口と前記吸引口とは異径の略円形で同心に配置し、前記吸引口は大径に形成し、前記入口は小径に形成してもよい。また、前記ケーシングには前記羽根車の正面側で前記複数の羽根片と対向して板状部材を配置し、板状部材には前記入口と同心に略円形の第２入口を形成し、第２入口は口径を前記入口の口径以下としてもよい。また、前記ケーシングに配置した前記板状部材に替えて、前記羽根車にはその正面側に前記複数の羽根片を覆って板状部材を取付け、板状部材には前記第２入口を形成してもよい。また、前記第２入口は前記入口と口径を略同径にしてもよい。また、前記吸引流路は、前記吸引口と前記入口との間を前記吸引口から前記入口に向けて漸次縮径する形状の流路部材で接続してもよい。
【発明の効果】
【０００８】
以上詳述したように、請求項１に記載の発明は、ケーシングの羽根車に面した正面側で羽根車の中心部に向けて開口する入口と、入口より垂直方向の下方に位置して液体タンクの液面上に生じる泡を吸引する吸引口とは、開口面積を相違して形成し、吸引口は開口面積を大きく形成し、入口は開口面積を小さく形成した。このため、羽根車の遠心作用により泡を吸引する際に、開口面積を大きくした吸引口により泡の消泡面積を大きくすることができると共に、開口面積を小さくした入口により泡を吸引する風量を増加できるから、装置を大型化することなく泡の吸引能力を向上できて液体タンクの液面上に発生する泡の消泡面積を大きくすることができる。
【０００９】
また、請求項２に記載の発明は、入口と吸引口とは異径の略円形で同心に配置し、吸引口は大径に形成し、入口は小径に形成した。このため、入口と吸引口とは略円形で簡単に形成できる。
【００１０】
また、請求項３に記載の発明は、ケーシングには羽根車の正面側で複数の羽根片と対向して板状部材を配置し、板状部材には入口と同心に略円形の第２入口を形成し、第２入口は口径を入口の口径以下とした。このため、羽根片と対向配置した板状部材により羽根片下方の隙間を小さくできるから、泡が羽根車の外周側へ移行される際に、泡が下方に落下することを抑制でき、ケーシングの内壁部分に衝突して良好に破壊され、消泡能力を向上することができる。そして、大径の吸引口から小径の入口を通った泡が、板状部材に形成した第２入口を通って羽根車に至るから、泡を吸引する風量の低減を抑制することができる。
【００１１】
また、請求項４に記載の発明は、ケーシングに配置した板状部材に替えて、羽根車にはその正面側に複数の羽根片を覆って板状部材を取付け、板状部材には第２入口を形成した。このため、羽根片を覆って羽根車に取付けた板状部材により羽根片下方を閉塞できるから、泡が羽根車の外周側へ移行される際に、泡が下方に落下することを抑制でき、ケーシングの内壁部分に衝突して良好に破壊され、消泡能力を向上することができる。そして、大径の吸引口から小径の入口を通った泡が、板状部材に形成した第２入口を通って羽根車に至るから、泡を吸引する風量の低減を抑制することができる。
【００１２】
また、請求項５に記載の発明は、第２入口は入口と口径を略同径にした。このため、大径の吸引口から小径の入口を通った泡が、入口と略同径の第２入口を通って羽根車に至るから、泡を吸引する風量の低減をより一層抑制することができる。
【００１３】
また、請求項６に記載の発明は、吸引流路は、吸引口と入口との間を吸引口から入口に向けて漸次縮径する形状の流路部材で接続した。このため、羽根車の遠心作用により、大径の吸引口から小径の入口を通って泡を吸引する風量は、吸引口から入口に向けて発生する渦巻き作用により、一層増加することができる。
【図面の簡単な説明】
【００１４】
【図１】本発明の一実施形態を示した消泡装置の縦断面図である。
【図２】図１の矢視Ａから見た一部を示した底面図である。
【図３】他の実施形態を示した消泡装置の縦断面図である。
【図４】図３の線Ｂ−Ｂに沿った図である。
【発明を実施するための形態】
【００１５】
以下、本発明の一実施形態を図面に基づき説明する。
図１および図２において、１はクーラント液等の液体を回収、貯蔵する液体タンクである。２は消泡装置で、液体タンク１の上板３上に載置板４を載置して設置している。消泡装置２は載置板４の下部に複数のボス５を介してケーシング６を溶接で取付けている。ケーシング６は、上部を閉塞して下部を開放した略円筒状で、内部には羽根車７を収装している。羽根車７は、円形のデイスク７Ａの正面側に６枚の羽根片７Ｂを中心から半径方向へ延びるように取付けると共に、半径方向の中心部には、入力軸７Ｃを取付けている。羽根車７の外周すなわち各羽根片７Ｂの半径方向外方端がケーシング６の内壁部分６Ａと対向配置している。入力軸７Ｃは、ケーシング６、載置板４を貫通してその背後に突出し、電動機８の出力軸８Ａに同軸状に取付けている。電動機８は載置板４の上部に溶接で取付けた取付板９に複数のボルト部材１０で着脱自在に取付けている。
【００１６】
ケーシング６の下部には、複数のカラー部材１１で間隙を有して円板状の基板１２を複数のボルト部材１３で取付けている。基板１２には、ケーシング６の羽根車７に面した正面側で羽根車７の中心部に向けて略円形の入口１４を貫通形成している。入口１４は開口面積が小さい小径に形成している。基板１２の上面には、円筒部材１５を溶接で取付け、その上端に羽根車７の正面側で羽根片７Ｂと対向する略円形の板状部材１６を溶接で取付けている。板状部材１６には、入口１４と同心で、入口１４と略同径の第２入口１７を形成している。基板１２の下面には、略円筒状の筒部１８を溶接で取付け、筒部１８の下端には、液体タンク１の液面Ｔ上に生じる泡Ｃを吸引し、入口１４と同心で略円形の吸引口１９を有している。吸引口１９は開口面積が大きい大径に形成している。そして、入口１４と吸引口１９とは開口面積を相違した異径で同心に形成している。一例として、吸引口１９は入口１４に対して開口面積を２．２５倍程度、口径を１.５倍程度とすることが好ましい。筒部１８は吸引口１９より入口１４、第２入口１７を介してケーシング６内に通じる吸引流路２０を有している。
【００１７】
２１は排出口で、ケーシング６の下部と基板１２の間に複数のカラー１１によって形成された間隙から構成し、ケーシング６の内壁６Ａへの泡の衝突で泡消滅による液体を空気とともに液体タンク１に排出する。
【００１８】
次に、かかる構成の作動を説明する。
電動機８により羽根車７を回転駆動すると、羽根車７の遠心作用により吸引口１９から吸引流路２０を介してケーシング６内に空気が吸引され、排出口２１から排出される。そして、液面Ｔ上に生じた泡Ｃは、吸引流路２０を経てケーシング６内へ導かれ、羽根車７に衝突する。この衝突で泡Ｃの一部は破壊されて消滅して、これにより生じるクーラント液の液滴は、残りの泡Ｃとともに、羽根車７での遠心作用により、遠心力を受け羽根車７の外周側へと移行され、ケーシング６の内壁部分６Ａに衝突する。この衝突で、残りの泡Ｃは実質的にほぼ全部が破壊され消滅する。そして、泡Ｃの消滅で生じたクーラント液の液滴は、空気と共に排出口２１から排出されて液体タンク１内へ戻される。
【００１９】
かかる作動で、ケーシング６の羽根車７に面した正面側で羽根車７の中心部に向けて開口する入口１４と、入口１４より垂直方向の下方に位置して液体タンク１の液面上に生じる泡Ｃを吸引する吸引口１９とは、開口面積を相違して形成し、吸引口１９は開口面積を大きく形成し、入口１４は開口面積を小さく形成した。このため、羽根車７の遠心作用により泡Ｃを吸引する際に、開口面積を大きくした吸引口１９により泡の消泡面積を大きくすることができると共に、開口面積を小さくした入口１４により泡を吸引する風量を増加できるから、装置を大型化することなく泡の吸引能力を向上できて液体タンク１の液面Ｔ上に発生する泡Ｃの消泡面積を大きくすることができる。
【００２０】
また、入口１４と吸引口１９とは異径の略円形で同心に配置し、吸引口１９は大径に形成し、入口１４は小径に形成した。このため、入口１４と吸引口１９とは略円形で簡単に形成できる。
【００２１】
また、ケーシング６には羽根車７の正面側で複数の羽根片７Ｂと対向して板状部材１６を配置し、板状部材１６には入口１４と同心に略円形の第２入口１７を形成し、第２入口１７は口径を入口１４の略同径以下とした。このため、羽根片７Ｂと対向配置した板状部材１６により羽根片７Ｂ下方の隙間を小さくできるから、泡Ｃが羽根車７の外周側へ移行される際に、泡Ｃが下方に落下することを抑制でき、ケーシング６の内壁部分６Ａに衝突して良好に破壊され、消泡能力を向上することができる。そして、大径の吸引口１９から小径の入口１４を通った泡Ｃが、板状部材１６に形成した第２入口１７を通って羽根車７に至るから、泡Ｃを吸引する風量の低減を抑制することができる。
【００２２】
また、第２入口１７は入口１４と口径を略同径にした。このため、大径の吸引口１９から小径の入口１４を通った泡Ｃが、入口１４と略同径の第２入口１７を通って羽根車７に至るから、泡Ｃを吸引する風量の低減をより一層抑制することができる。
【００２３】
図３および図４は、本発明の他の実施形態を示し、一実施形態と同一個所には同符号を付して説明を省略し、異なる個所についてのみ説明する。
吸引口１９より入口２２、第２入口２３を介してケーシング６内に通じる吸引流路２４は、吸引口１９と入口２２との間を流路部材２５で接続している。吸引口１９は流路部材２５の下端に開口形成し、大径の略円形で開口面積を大きく形成している。入口２２は流路部材２５の上端に開口形成し、小径の略円形で開口面積を小さく形成し、羽根車７の正面側に対向している。流路部材２５は基板１２を挿通して垂直方向の中間部を基板１２に溶接で取付け、吸引口１９から入口２２に向けて順次縮径する曲線の略ラッパ形状に形成している。そして、入口２２と吸引口１９とは、開口面積を相違した異径で同心に形成している。一実施形態と同様に、吸引口１９は入口２２に対して開口面積を２．２５倍程度、口径を１.５倍程度とすることが好ましい。一実施形態の板状部材１６に替えた板状部材７Ｄは、羽根車７の正面側に６枚の羽根片７Ｂを覆って取付け、中心部に第２入口２３を形成している。第２入口２３は入口２２と同心で入口２２と略同径に形成している。
【００２４】
作動は、電動機８により羽根車７を回転駆動すると、羽根車７の遠心作用により吸引口１９から吸引流路２４を介してケーシング６内に空気が吸引され、排出口２１から排出される。そして、液面Ｔ上に生じた泡Ｃは、吸引流路２４を経てケーシング６内へ導かれ、羽根車７に衝突する。この衝突で泡Ｃの一部は破壊されて消滅して、これにより生じるクーラント液の液滴は、残りの泡Ｃとともに、羽根車７での遠心作用により、遠心力を受け羽根車７の外周側へと移行され、ケーシング６の内壁部分６Ａに衝突する。この衝突で、残りの泡Ｃは実質的にほぼ全部が破壊され消滅する。そして、泡Ｃの消滅で生じたクーラント液の液滴は、空気と共に排出口２１から排出されて液体タンク１内へ戻される。
【００２５】
この作動で、一実施形態と略同様に、羽根車７の遠心作用により泡Ｃを吸引する際に、開口面積を大きくした吸引口１９により泡の消泡面積を大きくすることができると共に、開口面積を小さくした入口２２により泡を吸引する風量を増加できるから、装置を大型化することなく泡の吸引能力を向上できて液体タンク１の液面Ｔ上に発生する泡Ｃの消泡面積を大きくすることができる。また、入口２２と吸引口１９とは略円形で簡単に形成できる。
【００２６】
また、羽根車７にはその正面側に６枚の羽根片７Ｂを覆って板状部材７Ｄを取付け、板状部材７Ｄには第２入口２３を形成した。このため、羽根片７Ｂを覆って羽根車７に取付けた板状部材７Ｄにより羽根片７Ｂ下方を閉塞できるから、泡Ｃが羽根車７の外周側へ移行される際に、泡Ｃが下方に落下することを抑制でき、ケーシング６の内壁部分６Ａに衝突して良好に破壊され、消泡能力を向上することができる。そして、大径の吸引口１９から小径の入口２２を通った泡が、板状部材７Ｄに形成した第２入口２３を通って羽根車７に至るから、泡Ｃを吸引する風量の低減を抑制することができる。
【００２７】
また、第２入口２３は入口２２と口径を略同径にした。このため、大径の吸引口１９から小径の入口２２を通った泡が、入口２２と略同径の第２入口２３を通って羽根車７に至るから、泡Ｃを吸引する風量の低減をより一層抑制することができる。
【００２８】
また、吸引流路２４は、吸引口１９と入口２２との間を吸引口１９から入口２２に向けて漸次縮径する曲線の略ラッパ形状の流路部材２５で接続した。このため、羽根車７の遠心作用により、大径の吸引口１９から小径の入口２２を通って泡Ｃを吸引する風量は、吸引口１９から入口２２に向けて発生する渦巻き作用により、一層増加することができる。
【００２９】
なお、前述の各実施形態では、入口１４、２２と吸引口１９および第２入口１７、２３をそれぞれ略円形に形成したが、これに限らず、略四角形等の異なる形で形成してもよい。さらに、入口１４、２２と吸引口１９および第２入口１７、２３を互いに異なる形で形成してもよい。また、流路部材２５は吸引口１９から入口２２に向けて漸次縮径する曲線の略ラッパ形状で形成したが、直線の略円錐形状で形成してもよいことは勿論である。
【符号の説明】
【００３０】
１：液体タンク
２：消泡装置
６：ケーシング
６Ａ：内壁部分
７：羽根車
７Ｂ：羽根片
８：電動機
１６、７Ｄ：板状部材
１７、２３：第２入口
１４、２２：入口
１９：吸引口
２０、２４：吸引流路
２１：排出口
２５：流路部材
Ｔ：液面
Ｃ：泡
【図１】
2018149483.tif 000003
【図２】
2018149483.tif 000004
【図３】
2018149483.tif 000005
【図４】
2018149483.tif 000006